(57)【要約】      （修正有）【課題】熱伝導用の接触面積を向上して均一に熱伝導となるように機能し、さらに、緊密に結合され弛め難い効果を備えるＬＥＤ電球を提供する。【解決手段】ＬＥＤ電球は、本体１０と、発光装置２０と、口金４０とを含む。本体は、放熱ステムとアウトハウジングとを備え、放熱ステムの外壁に複数の放熱フィンが設けられ、複数の放熱フィンの表面に放熱層が結合され、放熱ステム内に中空開口を有する。アウトハウジング内には、収容空間を有するとともに、放熱ステムを収容空間に導入してから位置決めさせるためのネック部がベースに結合され、アウトハウジングのサイド壁に複数の通し穴１２２が設けられている。発光装置は放熱ステムに接続して固定される。口金は、ネック部に接続され、外部電源に接続することができる。【選択図】図１
0003164817.tif 000002
【実用新案登録請求の範囲】
【請求項１】
外壁に複数の放熱フィンが設けられ、前記複数の放熱フィンの表面に放熱層が結合され、中空開口を内部に有する放熱ステムと、収容空間を有するとともに、前記放熱ステムを前記収容空間に導入してから位置決めさせるためのネック部がベースに結合され、サイド壁に複数の通し穴が設けられたアウトハウジングとを備える本体と、
前記本体の放熱ステムに接続して固定される発光装置と、
前記アウトハウジングのネック部に接続され、外部電源に接続するための口金と、を含むLED電球。
【請求項２】
前記本体のアウトハウジングに接続され、発光装置を覆うカバーを備えることを特徴とする請求項１に記載のLED電球。
【請求項３】
前記放熱ステムは、前記中空開口の開口外縁にフランジが延在され、前記アウトハウジングのサイド壁の内面にフランジに当接する凸リブが複数本設けられ、前記放熱ステムを前記アウトハウジングの収容空間内に導入して位置決めさせることを特徴とする請求項１に記載のLED電球。
【請求項４】
前記放熱フィンの輪郭は、前記アウトハウジングのサイド壁の形状に対応して徐々に絞るようになっていることを特徴とする請求項１に記載のLED電球。
【請求項５】
前記放熱ステムのサイド壁において前記放熱フィンと放熱フィンとの間に前記アウトハウジングの通し穴に対応する長孔が設けられていることを特徴とする請求項１に記載のLED電球。
【請求項６】
前記放熱層は石墨材であることを特徴とする請求項１に記載のLED電球。
【請求項７】
前記本体は、インナーハウジングを有し、前記中空開口のサイド壁に第一位置決め部が設けられ、前記インナーハウジングのサイド壁に第二位置決め部が設けられ、前記第二位置決め部と前記第一位置決め部とが互いに係合されることによって、前記インナーハウジングを前記放熱ステムの中空開口内に安定に導入して位置決めさせることができ、さらに、前記インナーハウジングの底面に貫通孔が設けられていることを特徴とする請求項１に記載のLED電球。
【請求項８】
前記発光装置は、回路板と、少なくとも一つの発光ダイオードと、制御回路と、少なくとも一つの締結部材とを含み、前記発光ダイオードが前記回路板の一方の面に結合され、前記制御回路が前記回路板の他方の面に電気的に接続され、前記回路板と前記放熱ステムとの間を前記締結部材により接続され、前記回路板に放熱用の貫通孔が設けられていることを特徴とする請求項１に記載のLED電球。
【考案の詳細な説明】
【技術分野】
【０００１】
本考案は、照明用LED電球に係り、特に、発光ダイオードを発光源とし且つ好適な放熱構造を有するLED電球に関る。
【背景技術】
【０００２】
従来の白熱電球は、電流が内部のフィラメントに流れることで光源を発生するように構成されているが、その照明の明るさが限られ、電力が消費され易く高温になるので、近年、LEDを用いた電球に置き換えられつつある。初期のLED電球は、電子部品や回路設計の技術の未熟に局限されることで、LED数が少なく採用され、発光効率も劣ったので、発生された熱量の影響も目立たないようである。現在まで至って、技術が日ごと新しく、月ごとに異なるにつれて、LED電球が、明るさの高い照明効果を備えるため、LED電球に複数のLEDが増設され、これらのLEDが要する電力量及び発生した熱も日ごとに増えつつあるので、どのように放熱すれば高温によるこれらのLEDの稼働や使用寿命への影響を避けられるかが、新たな課題となってきた。
【０００３】
そのため、製造メーカは、これらのLEDが発生した熱量を低下させるため、LED電球にCu-Al板、放熱パイプ、放熱フィンなどの放熱構造を設けることによって、被放熱物（例えば、LED、回路板）に結合して熱を外へ伝導し、放熱の効果を達成する。
【０００４】
しかしながら、従来の放熱構造と被放熱物との間で隙間が生じ易いので、放熱構造は、熱を小面積接触の方式でしか伝導できず、放熱の効果が劣ってしまう。さらに、LED電球にこれらの放熱構造が結合されることで、LED電球の材料が複雑になり、作製し難く、製造コストも高くなり、経済的に好ましくない。また、LED電球の重さも増加され、取り付けや使用上にも実用性が欠けているとともに、安全上の配慮も増えることになる。
【０００５】
これに鑑みて、本考案の創作者は、専念に研究や設計、組み立てをし、導熱面積が向上されるとともに、均一な放熱効果を有するLED電球の提供を期することで、電球内のこれらのLEDの使用寿命を延長させることは、本考案が創作しようとする動機である。
【考案の概要】
【考案が解決しようとする課題】
【０００６】
本考案は、主に、導熱面積が向上されるとともに、均一な放熱効果を有するLED電球を提供することを目的とする。
【課題を解決するための手段】
【０００７】
前記目的を達成するため、本考案のLED電球は、外壁に複数の放熱フィンが設けられ、前記複数の放熱フィンの表面に放熱層が結合され、中空開口を内部に有する放熱ステムと、収容空間を有するとともに、前記放熱ステムを前記収容空間内に導入してから位置決めさせるためのネック部（接続管）がベースに結合され、サイド壁に複数の通し穴が設けられるアウトハウジングとを備える本体と、前記本体の放熱ステムに接続して固定される発光装置と、前記アウトハウジングのネック部に接続され、外部電源に接続するための口金と、を含む。
【０００８】
このように、本考案のLED電球は、本体と発光装置と口金との組合設計によって、熱伝導用の接触面積を向上して均一に熱伝導となるように機能し、さらに、緊密に結合され弛め難い効果を備える。
【０００９】
本考案の特徴、特点及び技術内容をさらに深く了解を得るため、以下の本考案に係る詳細説明及び添付図面を参照すれば得られるが、前記添付図面は参考や説明のみ提供され、本考案を局限するものではない。
【図面の簡単な説明】
【００１０】
【図１】図１は、本考案に係るLED電球を示す斜視図である。
【図２】図２は、本考案に係るLED電球を示す分解斜視図である。
【図３】図３は、図２の本体と発光装置とカバーと口金との組み立てを示す断面図である（そのうち、本体の放熱ステムは、A−A線の断面で示されている）。
【図４】図４は、本考案に係るLED電球の外観を示す側面図である。
【考案を実施するための形態】
【００１１】
図１〜図４に示すように、本考案のLED電球は、本体１０と、発光装置２０と、カバー３０と、口金４０とを含む。しかしながら、実際使用時に、本考案のカバー３０を用いなくても、実施可能である。
【００１２】
本体１０は、放熱ステム１１と、アウトハウジング１２とを含み、放熱ステム１１の外壁に複数の放熱フィン１１１が設けられ、複数の放熱フィン１１１の表面に放熱層１１２が結合され、放熱ステム１１内に中空開口１１３が開設された。アウトハウジング１２内には収容空間１２１を有するとともに、放熱ステム１１を収容空間１２１に導入してから位置決めさせるためのネック部（接続管）１２４がベースに結合され、アウトハウジング１２のサイド壁に複数の通し穴１２２が設けられた。
【００１３】
発光装置２０は、本体１０の放熱ステム１１に接続して固定されている。カバー３０は、本体１０のアウトハウジング１２に接続され（例えば、図３に示すように、アウトハウジング１２に係止具が設けられ、カバー３０に当該係止具に係合するための係止溝が設けられ）、発光装置２０を覆う。口金４０は、アウトハウジング１２のネック部１２４に接続され、口金４０は外部電源に接続するためのものである。
【００１４】
以上のように、さらに図３を参照すると、放熱ステム１１（図における放熱ステムを示す断面図は、図２のA−A線の断面である）は、中空開口１１３の開口外縁にフランジ１１５が延在され、また、アウトハウジング１２のサイド壁の内面にフランジ１１５に当接する凸リブ１２３が複数本設けられ、放熱ステム１１をアウトハウジング１２の収容空間１２１内に安定に導入させることができる。さらに、ネック部１２４の一端に当接することで収容空間１２１内から突出され、収容空間１２１内から放熱ステム１１を取出し易くなる。
【００１５】
収容空間１２１内における放熱ステム１１の位置決め効果を向上させるため、アウトハウジング１２のサイド壁の形状に対応して徐々に絞るように放熱フィン１１１の輪郭形状を設け、且つ、放熱層１１２を設けることで接触面積を増加するとともに、放熱ステム１１の外壁とアウトハウジング１２の内壁との間の隙間を減少させ、熱を外へ均一に伝導し、放熱ステム１１も収容空間１２１内に回転し難くなる。
【００１６】
放熱ステム１１の放熱効果を向上させるため、放熱ステム１１のサイド壁において放熱フィン１１１と放熱フィン１１１との間に長孔１１６が設けられ、長孔１１６がアウトハウジング１２の通し穴１２２（図３では、符号１２２２で示す通し穴）に対応して空気を対流させる。また、放熱層１１２は石墨材で構成されることによって、放熱ステム１１は、潤滑や、耐熱性、酸化され難く、酸類の影響を受けない利点を備える。さらに、アウトハウジング１２のサイド壁に複数の異なる形状の通し穴１２２を交互に設けることによって、所定の箇所から集中に熱伝動されることが避けられる。本実施例では、アウトハウジング１２のサイド壁に設けられた通し穴１２２は、円弧形状の通し穴１２２１、直線形状の通し穴１２２２及び円形形状の通し穴１２２３を含み（図４に示すように）、これらの三つの通し穴１２２１、１２２２、１２２３のうち何れかの一つであっても良い。
【００１７】
また、本体１０は、インナーハウジング１３を有し、中空開口１１３のサイド壁に第一位置決め部１１４（例えば、突起や凸リブ）が設けられ、インナーハウジング１３のサイド壁に第二位置決め部１３１（例えば、凹みや凹溝）が設けられ、第二位置決め部１３１と第一位置決め部１１４とが係合されることによって、インナーハウジング１３を放熱ステム１１の中空開口１１３内に安定に導入して位置決めさせることができる。また、インナーハウジング１３の底面に貫通孔１３２が設けられ、アウトハウジング１２の収容空間１２１を介して中空開口１１３内の熱を排出することができる。
【００１８】
また、発光装置２０は、回路板２１と、少なくとも一つの発光ダイオード２２と、制御回路２３と、少なくとも一つの締結部材２４とを含み、発光ダイオード２２が回路板２１の一方の面に結合され、制御回路２３が回路板２１の他方の面に電気的に接続され、回路板２１と放熱ステム１１との間に締結部材２４により接続されている。本実施例では、放熱ステム１１の第一位置決め部１１４にはねじ穴が設けられ、締結部材２４は、当該ねじ穴に螺合するためのねじであり、よって、回路板２１と放熱ステム１１とが緊密に固定される。さらに、回路板２１に貫通孔２１１が設けられ、カバー３０内の熱が中空開口１１３を介して収容空間１２１内に流れ込んで排出され、放熱可能となる。
【００１９】
このように、本考案のLED電球は、本体１０と発光装置２０と口金４０との組合設計によって、熱伝導用の接触面積を向上して均一に熱伝導となるように機能し、さらに、緊密に結合され弛め難い効果を備える。
【００２０】
しかし、以上のように単に本考案の好ましい実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【符号の説明】
【００２１】
１０本体
１１放熱ステム
１２アウトハウジング
１３インナーハウジング
２０発光装置
２１回路板
２２発光ダイオード
２３制御回路
２４締結部材
３０カバー
４０口金
１１１放熱フィン
１１２放熱層
１１３中空開口
１１４第一位置決め部
１１５フランジ
１１６長孔
１２１収容空間
１２２通し穴
１２３凸リブ
１２４ネック部
１３１第二位置決め部
１３２貫通孔
２１１貫通孔
１２２１、１２２２、１２２３通し穴
【図１】
0003164817.tif 000003
【図２】
0003164817.tif 000004
【図３】
0003164817.tif 000005
【図４】
0003164817.tif 000006